(57)【特許請求の範囲】
【請求項１】
１枚の矩形のシート材を折り曲げて形成される立体装飾体であって、
一方向である波方向にのみ曲率を有し、前記波方向に直交する方向である平坦方向には曲率を有さない波状凹面である正面と、
該正面の平坦方向の両側の辺にそれぞれ弧状の折り線を介して連設された２個の面であって、前記折り線に対向する対向辺、及び該対向辺と前記折り線の両端同士を結ぶ２個の端辺がいずれも直線である２個の側面と、
前記両側面の少なくとも一方に設けられた、前記２個の端辺の少なくとも一方の端辺上の点と前記折り線上の点を結ぶ山折り線と
を有することを特徴とする立体装飾体。
【請求項２】
請求項１に記載の立体装飾体が前記正面の波方向に複数連設された連設立体装飾体であって、
各立体装飾体の両側面がその隣に連設された立体装飾体の両側面と繋がっており、
各立体装飾体の正面が、その隣に連設された立体装飾体の正面との境界の直線状の切れ目によって該隣の立体装飾体の正面から前記平坦方向にずれるように分断されていることを特徴とする連設立体装飾体。  
【請求項３】
各立体装飾体の前記山折り線が、該立体装飾体の正面がずれた側とは逆側の側面にのみ設けられていることを特徴とする請求項２に記載の連設立体装飾体。
【発明の詳細な説明】
【技術分野】
【０００１】
本発明は、商品の宣伝や広告等における立体ポップとして使用することのできる、シート材を組み立てて成る立体装飾体に関する。
【背景技術】
【０００２】
展示会や店頭等では、厚紙やプラスチックシート等のシート材を折り曲げ、組み立てることにより作製される立体ポップを置き、その表示面にポスター等を貼る、或いは商品名やキャッチフレーズ等を直接印刷する等して、宣伝や広告等が行われる。
【０００３】
特許文献１には、意匠性を高め、宣伝効果を挙げるために、４つの側面を波状曲面とした略四角柱状の、カートンブランクを折り曲げて作製される箱が開示されている。また、特許文献２には、同様に４側面を波状凹面／波状凸面とした、シート材を折り曲げて作製される装飾構造体が開示されている。これらはいずれも意匠性に富んだ、目を引く立体ポップとして有効に利用することができる。なお、ここで「波状曲面」或いは「波状凹面」「波状凸面」とは、一方向にのみ曲率を有し（この方向を「波方向」と呼ぶ。）、それに直交する方向（この方向を「平坦方向」と呼ぶ。）には曲率を有さない曲面のことを言う。特許文献１及び特許文献２に記載の箱及び装飾構造体（以下、これらをまとめて「立体装飾体」と呼ぶ。）の場合、上下の長方形の面を結ぶ方向が波方向であり、それに垂直な方向、すなわち、上下各長方形の面に平行な方向が平坦方向である。
【先行技術文献】
【特許文献】
【０００４】
【特許文献１】特開2009-067428号公報
【特許文献２】特開2006-187962号公報
【発明の概要】
【発明が解決しようとする課題】
【０００５】
特許文献１や特許文献２に記載の立体装飾体は４つの側面が全て曲面（波状曲面）となっている。これは、１枚のシートを折り曲げて作製する場合、波状曲面に隣接する面は、波方向が同じであって逆の曲率を有する波状曲面（これを「相補曲面」と呼ぶ。）とならざるを得ないためである。すなわち、或る面の或る箇所Ａが外に向かって凸の波状曲面となっている場合、その面に隣接する面の同じ高さの箇所Ｂ（平坦方向において箇所Ａと同じ位置にある箇所）は凹状の波状曲面とならざるを得ない。なお、ここで１枚のシートを折り曲げて作製する場合と述べたが、別々のシートを同様の形状に組み立てる場合であっても、それら別々のシートを並べたときに隙間なく１枚のシートになるような場合は同様である。
【０００６】
このように４面とも曲面である立体装飾体は、単立状態で使用するには良いが、壁面に沿わせたり、他の立体装飾体と並立させようとする場合、隙間が生じるなどして却って見栄えが悪い。
【０００７】
本発明が解決しようとする課題は、１つの面を波状曲面としつつ、それに隣接する面を特許文献１等に記載の立体装飾体のような相補曲面とすることなく、該波状曲面との境界辺に対向する辺では直線とすることができる立体装飾体を提供することである。
【課題を解決するための手段】
【０００８】
上記課題を解決するために成された本発明は、１枚の矩形のシート材を折り曲げて形成される立体装飾体であって、
一方向である波方向にのみ曲率を有し、前記波方向に直交する方向である平坦方向には曲率を有さない波状凹面である正面と、
該正面の平坦方向の両側の辺にそれぞれ弧状の折り線を介して連設された２個の面であって、前記折り線に対向する対向辺、及び該対向辺と前記折り線の両端同士を結ぶ２個の端辺がいずれも直線である２個の側面と、
前記両側面の少なくとも一方に設けられた、前記２個の端辺の少なくとも一方の端辺上の点と前記折り線上の点を結ぶ山折り線と
を有することを特徴とする。
【０００９】
本発明に係る立体装飾体では、正面は波状凹面である一方、その両側の側面は、その折り線の近傍では曲面であるものの、それに対向する辺では直線となっているため、その辺の近傍では平面に近い。従って、その辺の近傍で壁面に沿わせたり、他の立体装飾体と並立させることができる。
【００１０】
ただ、その側面は、折り線の近傍の波状曲面（相補曲面）の状態が継続していれば前記従来技術の箇所で述べたように自然な状態であるが、それに対向する辺の近傍で平面であるため、波状曲面の方に無理な応力が生ずる。そこで本発明に係る立体装飾体では、その部分に前記山折り線を設けることにより、その応力を緩和し、折り線の弧状の状態を維持し、ひいては正面の波状凹面に歪みの影響を与えないようにしている。このような山折り線は、両側面に設けても良いが、少なくとも一方の側面に設けることにより、前記のような応力緩和の効果が得られる。
【００１１】
シート材としては、厚紙、段ボール、プラスチックシート等を用いることができる。
【００１２】
本発明に係る立体装飾体は、縦方向（正面の波方向）に複数連設し、両側面は縦方向に連設された立体装飾体間で共通としつつ、各立体装飾体の正面が互いに横方向（正面の平坦方向）にずれるようにすることができる。
【００１３】
このような連設立体装飾体の一例として、２段に連設された立体装飾体の作製方法を次に述べる。１枚の矩形のシート材の中央横方向に、全幅に亘らない切れ目を入れる。切れ目の長さは全幅の１／３程度とすることが望ましい。その切れ目の上の方では、正面を左の方に寄せて切れ目の長さ以下の横幅とし、切れ目の下の方では正面を右の方に寄せて同じ横幅とする。もちろん、左右は逆でも良い。このようなシート材の切れ目の上側と下側において前記のような立体装飾体を組み立てることにより、連設立体装飾体を作製することができる。３段以上の連設立体装飾体も同様にして、正面を上下に互いにずらせて作製することができる。
【発明の効果】
【００１４】
本発明に係る立体装飾体によれば、正面は波状曲面としつつ、それに隣接する面は従来のように全面で相補曲面とする必要がなく、該波状曲面との境界辺に対向する辺では直線とすることができる。このため、壁面に沿わせたり、他の立体装飾体と並立させてもきれいに揃えることができる。
【図面の簡単な説明】
【００１５】
【図１】本発明の第１実施例に係る立体ポップの展開図。
【図２】本発明の第１実施例に係る立体ポップを組み立てる様子を示す図。
【図３】本発明の第１実施例に係る立体ポップを組み立てた状態での正面図（ａ）と側面図（ｂ）。
【図４】本発明の第２実施例に係る立体ポップの展開図（ａ）と該立体ポップが折り畳まれた様子を示す図（ｂ）。
【図５】本発明の第２実施例に係る立体ポップを組み立てる様子を示す図。
【図６】本発明の第２実施例に係る立体ポップを組み立てた状態での正面図（ａ）と側面図（ｂ）（ｃ）。
【図７】本発明の第２実施例に係る立体ポップに、補助山折り線を追加した変形例の展開図。
【図８】本発明のその他の一実施例（四角柱状）に係る立体ポップの展開図。
【図９】上記実施例に係る立体ポップを組み立てる様子を示す図。
【図１０】上記実施例に係る立体ポップを組み立てた状態での正面図（ａ）と側面図（ｂ）（ｃ）（ｄ）。
【発明を実施するための形態】
【実施例１】
【００１６】
図１に本発明に係る立体装飾体の実施例である立体ポップ１０の展開図を示す。
本実施例の立体ポップ１０は１枚の略矩形の厚紙から成り、正面１１と、該正面１１を挟む左右２つの側面１２ａと１２ｂを備える。左右の側面１２ａと１２ｂは、それぞれ折り線１３ａと１３ｂを介して正面１１と連接されている。折り線１３ａと１３ｂは正面１１の外側に凸の弧状の曲線である。左側の側面１２ａは折り線１３ａに対向する辺に差込片１７を備え、右側の側面１２ｂは折り線１３ｂに対向する辺に連結辺１９を備える。連結辺１９の根本には、差込片１７に対応する切り込み１８が設けられている。
【００１７】
本実施例においては、右側の側面１２ｂ上に直線状の補助山折り線１４が１本設けられている。該補助山折り線１４の一方の端点１４１ａは右側の折り線１３ｂ上の下側部分に、他方の端点１４１ｂは側面１２ｂの下辺上にある。折り線１３ｂの下辺における端点を端点１３１とすると、直線１４１ａ−１４１ｂ（補助山折り線１４）、曲線１４１ａ−１３１（折り線１３ｂの一部）及び直線１３１−１４１ｂ（下辺の一部）で囲まれる領域は、直線１４１ａ−１４１ｂと略直線状の曲線１４１ａ−１３１の長さがほぼ等しい略二等辺三角形状となっている。
【００１８】
図２に立体ポップ１０を組み立てる様子を示す。左右の折り線１３ａと１３ｂを山折りとして、左右の側面１２ａと１２ｂを図２（ａ）の矢印方向にそれぞれ折り込む。そして、差込片１７と連結辺１９をそれぞれ山折りとし、差込片１７を切り込み１８に差し込んで組み立てが完了する（図２（ｂ）参照）。
図３に組み立てが完了した状態での立体ポップ１０の正面図（（ａ））と、補助山折り線１４が設けられている右側の側面１２ｂ側からの側面図（（ｂ））を示す。正面１１は、上下方向を波方向、左右方向を平坦方向とする波状凹面となる一方、左側の側面１２ａは差込片１７の近傍で、右側の側面１２ｂは連結辺１９の近傍で、共に平面状となるため、左右の側面１２ａと１２ｂの特に折り線１３ａと１３ｂの近傍には無理な応力が生じるが、補助山折り線１４により、右側の側面１２ｂ側の折り線１３ｂ近傍の無理な応力が緩和されている。
【実施例２】
【００１９】
図４（ａ）に本発明に係る連設立体装飾体の実施例である三角柱状立体ポップ２０の展開図を示す。
本実施例の立体ポップ２０も１枚の略矩形の厚紙から成り、縦方向に連設された４つの正面２１１〜２１４と、各正面をそれぞれ挟む左右２つの側面２２ａと２２ｂを備える。各正面は、直線状の切れ目２５１〜２５３を介して縦方向に４つ設けられている。各切れ目２５１〜２５３の上方の正面と下方の正面は左右方向にずれており、上方の正面の下辺は切れ目の左端（又は右端）に、下方の正面の上辺は切れ目の右端（又は左端）に位置している。従って、各切れ目２５１〜２５３は、上方の正面の左端（又は右端）から下方の正面の右端（又は左端）まで設けられており、その長さは立体ポップ２０の全幅の１／３程度である。
【００２０】
各正面２１１〜２１４と側面２２ａと２２ｂは、左側の折り線２３１ａ〜２３４ａ及び右側の折り線２３１ｂ〜２３４ｂを介してそれぞれ連接されている。各折り線２３１ａ〜２３４ａ、２３１ｂ〜２３４ｂは、対応する正面から見て外側に凸の弧状の曲線である。
左側の側面２２ａは左側の４つの折り線２３１ａ〜２３４ａに対向する辺にそれぞれ差込片２７１〜２７４を備える。右側の側面２２ｂは、右側の上２つの折り線２３１ｂと２３２ｂに対向する辺に連結辺２９１を、右側の下２つの折り線２３３ｂと２３４ｂに対向する辺に連結辺２９２を備える。上方の連結辺２９１の根本には、差込片２７１と２７２にそれぞれ対応する切り込み２８１と２８２が設けられ、下方の連結辺２９２の根本には差込片２７３と２７４にそれぞれ対応する切り込み２８３と２８４が設けられている。
【００２１】
各切れ目２５１〜２５３の左右の端から側辺までの各切れ目の延長線には、山折り及び谷折り可能な折り畳み線２６１ａ〜２６３ａ、２６１ｂ〜２６３ｂが設けられている。
【００２２】
本実施例においては、各切れ目２５１〜２５３の各端点から、該点に接続する弧状の折り線２３１ａ、２３２ｂ、２３３ａ、２３４ｂを延長するように、側面２２ａ及び２２ｂ上に補助山折り線２４１、２４２ａ、２４２ｂ、２４３ａ、２４３ｂ、２４４が設けられている。それぞれの補助山折り線、切れ目及び折り線で囲まれる領域は、第１実施例と同様に、該補助山折り線の部分と該折り線の部分の長さがほぼ等しい略二等辺三角形状となっている。
【００２３】
図５に本実施例の立体ポップ２０を組み立てる様子を示す。組み立て手順は第１実施例と同様であり、図５（ａ）（ｂ）はそれぞれ図２（ａ）（ｂ）に対応する。
図６に組み立てが完了した状態での立体ポップ２０の正面図（（ａ））と、左側面図（（ｂ））、及び右側面図（（ｃ））を示す。第１実施例と同様に、各正面２１１〜２１４が、上下方向を波方向、左右方向を平坦方向とする波状凹面となる一方、左側の側面２２ａは各差込片２７１〜２７４の近傍で、右側の側面２２ｂは各連結辺２９１と２９２の近傍で、共に平面状となるため、左側の側面２２ａの、特に折り線２３１ａ〜２３４ａの近傍、及び右側の側面２２ｂの、特に折り線２３１ｂ〜２３４ｂの近傍には無理な応力が生じる。しかし、各切れ目２５１〜２５３の端と各折り線２３１ａ〜２３４ａ、２３１ｂ〜２３４ｂの上下端の間を折り曲げるように設けられた補助山折り線２４１、２４２ａ、２４２ｂ、２４３ａ、２４３ｂ、２４４により、それらの近傍の無理な応力が緩和されている。
【００２４】
本実施例の立体ポップ２０を使用しないときは、差込片２７１〜２７４を対応する切り込み２８１〜２８４から取り外し、図４（ａ）のような１枚の厚紙の状態にした後、各折り畳み線２６１ａ・２６１ｂ、２６２ａ・２６２ｂ、２６３ａ・２６３ｂを交互に山折り及び谷折りすることにより、小さく折り畳むことができる（図４（ｂ）参照）。
【００２５】
なお、本発明は上記実施例に限定されるものではなく、様々な追加・変更・修正が可能である。
例えば、図４〜図６に示す実施例の立体ポップにおいて、図７に示すように、補助山折り線を全ての折り線２３１ａ〜２３４ｂの上下端に設けても構わない。これにより、各正面２１１〜２１４とそれに隣接する側面２２ａ、２２ｂの境界である折り線２３１ａ〜２３４ａ、２３１ｂ〜２３４ｂの近傍における無理な応力がより良く緩和され、各正面２１１〜２１４の曲面がきれいに保たれるようになる。
【００２６】
また、図４〜図６の立体ポップ１０（又は図７の立体ポップ２０）を四角柱状としても構わない。四角柱状とした立体ポップ３０の例を図８〜図１０に示す。この例の立体ポップ３０は、正面３１１〜３１４の反対側に平面状の背面３２ｃを有する。従って、この四角柱状の立体ポップ３０は、背面３２ｃを壁面に沿わせてきちんと置くことができる。また、複数本の立体ポップ３０をきれいに並べて配置することが容易になる。なお、図８〜図１０において、図４〜図６と共通の部材についてはその部材番号の下２桁を共通としてある。
【符号の説明】
【００２７】
１０…立体ポップ
１１…正面
１２ａ、１２ｂ…側面
１３ａ、１３ｂ…折り線
１４…補助山折り線
１３１、１４１ａ、１４１ｂ…端点
２０…立体ポップ
２１１、２１２、２１３、２１４…正面
２２ａ、２２ｂ…側面
２３１ａ、２３２ａ、２３３ａ、２３４ａ…折り線
２３１ｂ、２３２ｂ、２３３ｂ、２３４ｂ…折り線
２４１、２４１ａ、２４１ｂ、２４２ａ、２４２ｂ、２４３ａ、２４３ｂ、２４４、２４４ａ、２４４ｂ…補助山折り線
２５１、２５２、２５３…切れ目
３０…立体ポップ
３１１、３１２、３１３、３１４…正面
３２ａ、３２ｂ、３２ｃ…側面
３３１ａ、３３２ａ、３３３ａ、３３４ａ…折り線
３３１ｂ、３３２ｂ、３３３ｂ、３３４ｂ…折り線
３４１、３４２ａ、３４２ｂ、３４３ａ、３４３ｂ、３４４…補助山折り線
【図１】
0006430245.tif 000002
【図２】
0006430245.tif 000003
【図３】
0006430245.tif 000004
【図４】
0006430245.tif 000005
【図５】
0006430245.tif 000006
【図６】
0006430245.tif 000007
【図７】
0006430245.tif 000008
【図８】
0006430245.tif 000009
【図９】
0006430245.tif 000010
【図１０】
0006430245.tif 000011